(57)【特許請求の範囲】
【請求項１】
防草シート等のシートを地面に固定するために使用され、ピンと押えプレートを有してなるシート固定具であって、
前記押えプレートを一方面から見ると、使用時に前記ピンを差し込む差込穴から外縁部に至るまで少なくとも１のスリットが形成され、
前記押えプレートの他方面には、当該他方面側にのみ突出して且つ前記スリットの両側を架設するように桁部が設けられ、
更に当該桁部は、前記差込穴には形成されておらず、且つ、前記桁部の高さは、前記押えプレートの他方面側の表面を基準として前記ピンの直径よりも大きくなるように構成され、
前記スリットを略並行して２つ設けると共に、外縁部に向かって僅かに両スリットの間隔が広がるように形成し、
前記ピンは、１本の部材を折り曲げて「略Ｕ字形」乃至は「略コ字形」に形成して１の部材で２本分のピンとして機能するよう構成され、
前記ピンは、ピン先端に向かうほどピンの間隔が広がるように構成されており、且つ、自由状態における当該ピンの広がりの角度は、前記スリットの広がりの角度よりも大とされ、
前記押えプレートと前記ピンとを組み付ける際に当該ピンを位置決めするための手段として、前記２つのスリット同士を繋ぐ溝を形成することなく前記押えプレートの外縁から前記ピンの太さ程度中心側にオフセットされた位置且つ前記押えプレートの他方面側にのみ突出する突起を設けた
ことを特徴とするシート固定具。
【発明の詳細な説明】
【技術分野】
【０００１】
本発明は、地面に生える雑草の成長を防止する防草シートを地面に固定するためのシート固定具に関する。
【背景技術】
【０００２】
従来から、防草シートを地面に固定するためのシート固定具には様々な種類のものが存在する。
【０００３】
例えば特許文献１に記載されるように、防草マットに設けられた穴に「ピン」を直接打ち込んで固定するものが一般的である。
【０００４】
更に、特許文献１のように直接ピンのみで固定するよりも、非特許文献１で開示されているような「押えプレート」を併用する方がピン周りをより広範囲に押えることが可能となるため、ピン単体ではなく、押えプレートとセットで利用される場合も多く、両者がセットになって販売されている実情もある。
【先行技術文献】
【特許文献】
【０００５】
【特許文献１】特開２００７−１０７３５３号公報
【非特許文献】
【０００６】
【非特許文献１】楽天市場「防草シート  ピン」の検索結果のページ  https://search.rakuten.co.jp/search/mall/%E9%98%B2%E8%8D%89%E3%82%B7%E3%83%BC%E3%83%88+%E3%83%94%E3%83%B3/100012/
【発明の概要】
【発明が解決しようとする課題】
【０００７】
しかしながら、ピンと押えプレートをセット販売する場合、パッケージングに色々な問題が生じていた。
【０００８】
具体的には、ピンと押えプレートを別々に（組み付けずに）パッケージングすると、使用時にユーザーが１つ１つ組み付ける必要があり、特に大量のシート固定具が必要な場合は作業効率が悪化したり、組み付け時にピン先端で怪我をする場合もあった。
【０００９】
一方で、ピンと押えプレートを組み付けた状態（押えプレートにピンを差し込んだ状態）でパッケージングしようとすると、非常に嵩張ってしまい、配送、陳列、保管等の様々な面で問題が生じてしまう。
【００１０】
そこで本発明は、こういった問題点を解決するべくなされたものであって、予めピンと押えプレートとを組み付けた状態でも嵩高となり難く、パッケージング作業も容易であり、更に使用するユーザーの作業性も高めることができるシート固定具を提供する事をその課題としている。
【課題を解決するための手段】
【００１１】
上記課題を解決するべく、本願発明は、防草シート等のシートを地面に固定するために使用され、ピンと押えプレートを有してなるシート固定具であって、前記押えプレートを一方面から見ると、使用時に前記ピンを差し込む差込穴から外縁部に至るまで少なくとも１のスリットが形成され、前記押えプレートの他方面には、当該他方面側にのみ突出して且つ前記スリットの両側を架設するように桁部が設けられ、更に当該桁部は、前記差込穴には形成されていないことを特徴とする。
【００１２】
このような構成を採用したことによって、前記差込穴に前記ピンを差し込んだままピンをスリットに嵌合させるように倒すことが可能となり、その結果として嵩高になること無くパッケージ内に封入することが可能となった。加えて、桁部は押えプレートの他方面側（平面側）にのみ突出しており一方面側（底面側）には突出していないので、シートを押える面の一部が突起していない。仮に、押えプレートのシートを押える側の面（底面）に突起があると、その突起によって押えプレートとシートとの間に隙間が生じやすく、当該隙間に風が当たってシート固定具の浮き上がりを誘発することになり望ましくない。この点本発明では、押えプレートの一方面側（底面側）には桁部が突出していないため、このような不具合を未然に防止することが可能となっている。
【００１３】
また、前記桁部の高さは、前記押えプレートの他方面側の表面を基準として前記ピンの直径よりも大きくなるように構成されることを特徴とする。
【００１４】
このような構成を採用したことによって、ピンを倒した際に、ピンがスリット内に完全に入り込み、嵩高となることを防止している。
【００１５】
また、前記スリットを略並行して２つ設けると共に、外縁部に向かって僅かに両スリットの間隔が広がるように形成し、前記ピンは、１本の部材を折り曲げて「略Ｕ字形」乃至は「略コ字形」に形成して１の部材で２本分のピンとして機能するよう構成され、前記ピンは、ピン先端に向かうほどピンの間隔が広がるように構成されており、且つ、自由状態における当該ピンの広がりの角度は、前記スリットの広がりの角度よりも大とされていることを特徴とする。
【００１６】
このような構成を採用したことによって、ピンが広がろうとする力を利用して、パッケージング時にピンと押えプレートとを固定することが可能となっている。即ち、ピンを保持する保持爪のような構造を設ける必要がない。
【発明の効果】
【００１７】
本発明を適用することで、予めピンと押えプレートとを組み付けた状態でも嵩高となり難く、パッケージング作業も容易であり、更に使用するユーザーの作業性も高めることができる。
【図面の簡単な説明】
【００１８】
【図１】本発明の実施形態の一例である押えプレートの概略構成図であって、（ａ）が平面（上面）図、（ｂ）が底面（下面）図である。
【図２】本発明の実施形態の一例である押えプレートの概略構成斜視図であって、（ａ）が平面側斜視図、（ｂ）が底面側斜視図である。
【図３】押えプレートとピンとを組み付けた状態（パッケージング状態）を示した図であって、（ａ）が正面図、（ｂ）が背面図である。
【図４】押えプレートとピンとを組み付けた状態（パッケージング状態）の側面図である。
【図５】押えプレートとピンとを組み付けたまま、ピンを引き起こした状態を示した図である。
【図６】ピンを打ち込んだ状態を示した図である。
【図７】本発明の実施形態の第２実施例である押えプレートの概略構成図であって、（ａ）が平面（上面）図、（ｂ）が底面（下面）図である。
【図８】本発明の実施形態の第２実施例である押えプレートの平面側斜視図である。
【図９】第２実施例に係る押えプレートとピンとを組み付ける前の状態を示した図である。
【図１０】第２実施例に係る押えプレートとピンとを組み付けた状態（パッケージング状態）のを示した図であって、（ａ）が正面図、（ｂ）が背面図である。
【図１１】第２実施例に係る押えプレートとピンとを組み付けた状態（パッケージング状態）の側面図である。
【図１２】第２実施例に係る押えプレートとピンとを組み付けたまま、ピンを引き起こした状態を示した図である。
【発明を実施するための形態】
【００１９】
以下、添付図面を参照しつつ、本発明の実施形態の一例であるシート固定具１０について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈シート固定具の構成〉
本発明の実施形態の一例として示すシート固定具１０は、押えプレート１００とピン１２０とを有してなる。
【００２１】
ピン１２０は、金属製とされ、頭部を有する釘形状に構成される（図３参照）。なお、必ずしも金属製でなくともよく樹脂などで構成されていてもよい。
【００２２】
本実施形態における押えプレート１００は、図１〜図２に示しているように、直径６ｃｍ程度の略円盤形状に樹脂により成形されている。円形の基台部１０２の中央には、ピン１２０を差し込むための差込穴１０４が形成されている。基台部１０２の一方面１０２ｂ側（底面側）には、当該差込穴１０４から基台部１０２の外周縁（外縁部）に至るようにスリット１０６が形成されている。このスリット１０６の幅は、少なくともピン１２０が入り込むことが可能な幅とされている。
【００２３】
一方、基台部１０２の他方面１０２ａ側（平面側）には、当該他方面１０２ａ側にのみ突出して且つ前記スリット１０６の両側を架設するように桁部１０８が設けられている。なお、当該桁部１０８は、差込穴１０４の部分には形成されていない。その結果、差込穴１０４部分を除くスリット１０６の上部に、恰も「トンネル様の構造」が形成されている。なお、符号１０９は、ピン１２０を保持することが可能な保持爪である。
【００２４】
また、図２（ａ）に示しているように、桁部１０８の高さＨ１は、基台部１０２の他方面１０２ａ側の表面を基準としてピン１２０の直径よりも大きくなるように構成される
【００２５】
〈シート固定具の作用・機能〉
シート固定具１０は、図３で示しているように、押えプレート１００の差込穴１０４にピン１２０を差し込んだ状態からピン１２０の先端側（差込穴１０４から下の部分）がスリット１０６に嵌まる方向に倒し、ピン１２０の頭部側を保持爪１０９に保持させる。これにより、押えプレート１００の基台部１０２とピン１２０が並行に並ぶような位置関係となり、ピン１２０の半径方向への嵩高さを大きく軽減することが可能となる。この状態でパッケージングを行う。
【００２６】
購入したユーザーが使用する場合は、パッケージから組み付けられた状態のシート固定具１０を取り出し、図４に示しているように押えプレート１００に対してピン１２０を起こして図５のような状態とした上で、ハンマー等で頭部を叩いて防草シートの上から地面に打ち込で使用する。図６は、シート固定具１０が打ち込まれた状態の一例を示している。
【００２７】
上記構成で説明した通り、シート固定具１０は、押えプレート１００を一方面１０２ｂから見ると、使用時にピン１２０を差し込む差込穴１０４から外縁部に至るまで少なくとも１のスリット１０６が形成され、押えプレート１００の他方面１０２ａには、他方面側にのみ突出して且つスリット１０６の両側を架設するように桁部１０８が設けられ、更に当該桁部１０８は、差込穴１０４には形成されていないことを特徴としていた。
【００２８】
このような構成を採用したことによって、差込穴１０４にピン１２０を差し込んだままピン１２０をスリット１０６に嵌合させるように倒すことが可能となり、その結果として嵩高になること無くパッケージ内に封入することが可能となるのである。加えて、桁部１０８は押えプレート１００の他方面１０２ａ側（平面側）にのみ突出しており一方面１０２ｂ側（底面側）には突出していないので、シートを押える面の一部が突起していない。仮に、押えプレート１００のシートを押える側の面（底面）に突起があると、その突起によって押えプレート１００とシートとの間に隙間が生じやすく、当該隙間に風が当たってシート固定具１０の浮き上がりを誘発することになり望ましくない。この点本発明では、押えプレート１００の一方面１０２ｂ側（底面側）には桁部１０８が突出していないため、このような不具合を未然に防止することが可能となっている。
【００２９】
また、桁部１０８の高さは、押えプレート１００の他方面１０２ａ側の表面を基準としてピン１２０の直径よりも大きくなるように構成されていた。
【００３０】
このような構成を採用したことによって、ピン１２０を倒した際に、ピン１２０がスリット１０６内に完全に入り込み、パッケージ状態において嵩高となることを防止している。
【００３１】
〈第２実施例〉
次に、図７〜図１２を参照しつつ、第２実施例のシート固定具２０について説明する。
【００３２】
第２実施例としてのシート固定具２０を一言で説明すると、スリットが２本となり、それに合わせてピンも事実上２本に構成された点が特徴である。なお、既に説明したシート固定具１０と同一又は類似する部分については、数字下２桁が共通する符号を付するに止め、重複説明は省略する。
【００３３】
シート固定具２０では、スリットが略並行して２つ（２０６ａ、２０６ｂ）設けられ、それに合わせて桁部も２つ（２０８ａ、２０８ｂ）備わっている（図７及び図８を参照）。なおこの２つのスリット２０６ａ、２０６ｂは、厳密には並行ではなく、基台部２０２ｂの外縁部（外周縁）に向かって僅かに両スリットの間隔が広がっている。図７を前提にすると、僅かに「ハの字」となるように構成されている。
【００３４】
一方、図９に示しているように、ピン２２０は、１本の部材を折り曲げて「略Ｕ字形」に形成して１の部材で２本分のピン（２２０ａ、２２０ｂ）として機能するよう構成される。２つのピン２２０ａ、２２０ｂは並行ではなく、ピン先端に向かうほどピンの間隔が広がるように構成されている。更に、自由状態における２本のピン２２０ａ、２２０ｂの広がりの角度θ２は、２つのスリット２０８ａ、２０８ｂの広がりの角度θ１よりも大きくなるように構成されている。なお、図示したピン２２０は「略Ｕ字形」に折り曲げられているがこれに限らず、例えば「略コ字形」に折り曲げて形成されていてもよい。
【００３５】
なお、符号２１０は、ピン２２０と押えプレート２００を組み付ける際に、ピン２２０を位置決めするための突起である。
【００３６】
このような構成を採用したことによって、２本のピン２２０ａ、２２０ｄが広がろうとする力を利用して、パッケージング時にピン２２０と押えプレート２００とを固定することが可能となっている。即ち、固定具１０には存在したような「ピン２２０の頭部を保持する保持爪１０９」のような構造を設けなくとも、２本のピン２２０ａ、２２０ｄが広がろうとする力によってピンが２本の桁部２０８ａ、２０８ｂ乃至はスリット２０６ａに押圧され、この力によってピン２２０と押えプレート２００が固定されるのである（図１０参照）。
【００３７】
なお、パッケージから取り出してピン２２０を引き起こし（図１１参照）、引き起こした状態で防草シート等の上から地面に打ち込んで行く行程（図１２参照）は、上述したシート固定具１０と同様である。
【符号の説明】
【００３８】
１０・・・シート固定具
１００・・・押えプレート
１０２・・・基台部
１０４・・・差込穴
１０６・・・スリット
１０８・・・桁部
１０９・・・保持爪
１２０・・・ピン
【要約】
【課題】
ピンと押えプレートとを組み付けた状態でも嵩高となり難く、パッケージング作業も容易であり、更に使用するユーザーの作業性も高めることができるシート固定具を提供する。
【解決手段】
ピン１２０と押えプレート１００を有してなるシート固定具１０であって、押えプレート１００を一方面から見ると、使用時にピン１２０を差し込む差込穴１０４から外縁部に至るまでスリット１０６が形成され、押えプレート１００の他方面には、他方面側にのみ突出して且つスリット１０６の両側を架設するように桁部１０８が設けられ、更に当該桁部１０８は、差込穴１０４には形成されていない。
【選択図】図３【図１】
0006864405.tif 000002
【図２】
0006864405.tif 000003
【図３】
0006864405.tif 000004
【図４】
0006864405.tif 000005
【図５】
0006864405.tif 000006
【図６】
0006864405.tif 000007
【図７】
0006864405.tif 000008
【図８】
0006864405.tif 000009
【図９】
0006864405.tif 000010
【図１０】
0006864405.tif 000011
【図１１】
0006864405.tif 000012
【図１２】
0006864405.tif 000013